(57)【要約】      （修正有）【課題】市販のゴルフバッグに対し、そのまま何も変更することなく、小物入れを増設することができ、さらにはフードと小物入れとを同時に使用することもできる、ゴルフバッグに着脱可能なゴルフ用小物入れを提供する。【解決手段】出入口１３および収納空間１４を有する収納部１１と、一対の帯状体からなる吊下げ部１２とを備えたゴルフ用小物入れ１０であって、各帯状体は、一端側が収納部１１に固定され、他端側には雌体ホック１７が帯状体の表面側または裏面側の何れか片面側に取り付けられ、雄体ホック１８が帯状体の反対面側に取り付けられ、ゴルフバッグのフードを着脱用ホックに対して着脱可能に構成されている。【選択図】図２
0003218072.tif 000002
【実用新案登録請求の範囲】
【請求項１】
物品の出入口および収納空間を有する収納部と、前記収納部を吊り下げるための一対の帯状体からなる吊下げ部とを備えたゴルフ用小物入れであって、前記吊下げ部の各帯状体は、一端側が前記収納部に固定され、他端側には雌体ホックが前記帯状体の表面側または裏面側の何れか片面側に向けて取り付けられるとともに雄体ホックが前記帯状体の反対面側に向けて取り付けられ、前記雌体ホックおよび前記雄体ホックがゴルフバッグのフードを着脱するためのホックと着脱可能に構成してあることを特徴とするゴルフ用小物入れ。
【請求項２】
前記吊下げ部の各帯状体は、前記収納部に固定された一端側に、前記他端側に取り付けた雌体ホック又は雄体ホックと着脱可能な雄体ホック又は雌体ホックが取り付けられる請求項１に記載のゴルフ用小物入れ。
【考案の詳細な説明】
【技術分野】
【０００１】
本考案は、ゴルフ場で使用する際に好適な小物入れに関する。また、本考案は使用状況によってゴルフバッグ（キャディバッグ）とともに使用することもでき、ゴルフカートに装着して使用することもできるゴルフ用小物入れに関する。
【背景技術】
【０００２】
ゴルフ場では、ラウンド中に使用する道具であるクラブ、ボール、ティーマーカー、グローブ、シューズだけでなく、携帯電話、タオル、傘、レインコート、キャップ、サングラス、筆記具、防寒具、着替え、ドリンク、食品等の多くの小物物品を、必要に応じてプレーヤーが持ち運ぶことがある。
【０００３】
そのため、ラウンド中に使用するゴルフバッグには、クラブを収納する有底筒状のバッグ本体およびバッグ本体の上端開口部分を覆う着脱可能なフードとともに、小物入れとなる備え付けのポケットがバッグ本体の外側面に設けられており、必要な小物を収納できるようにしてある。
【０００４】
しかしながら、ゴルフバッグの外側面の面積は有限であり、しかも肩掛けベルト、把手を設ける必要もあるので、備え付けのポケットを設けることができる位置や大きさが制限されている。
また、ゴルフバッグをゴルフカートに載せてラウンドする場合は、ゴルフバッグの背面及び左右の側面に設けたポケットは、ゴルフカートのバッグ受けや、隣接して搭載されているゴルフバッグどうしが接することで使用できなくなるので、ゴルフバッグの前面部に設けられたポケットに必要な物品を収納することになる。しかし、ゴルフバッグの前面部にはバッグ本体を手で持って運搬する際に使用する把手部が固定されているため、把手部部分には備え付けのポケットを設けることができない。
【０００５】
そこでゴルフカートに搭載した際でも使用可能なバッグ本体の前面部に、できるだけ広い収納ポケットを設けるために、着脱自在な把手を設けるとともに、把手を取り外した状態で使用可能となるポケットを設けることが開示されている（特許文献１参照）。
上記文献によれば、把手がゴルフバッグ本体に上部繋具及び下部繋具により固定されていて、繋具の所定の爪を外すことにより容易に取り外すことができるようにしてある。
【先行技術文献】
【特許文献】
【０００６】
【特許文献１】特開２００３−１９９８５６号公報
【考案の概要】
【考案が解決しようとする課題】
【０００７】
従来のゴルフバッグには、その外側面（前面、側面、背面）のいずれかに小物入れとなるポケットが備え付けられてはいるが、ラウンド中に使用する多くの物品を収納するスペースとしては必ずしも十分な大きさが確保できているとは言えなかった。
【０００８】
しかも、ゴルフカートにゴルフバッグを搭載しているときは使用できなくなるポケットもあり、それらのポケットに入れた物品を取り出すことが必要なときには、ゴルフカートからゴルフバッグを取り出し、ポケットが使用できる状態にしてから物品を取り出す必要があった。
【０００９】
そこで、本考案は、ゴルフバッグに必ず着脱可能に取り付けられているフードの取付構造を利用して、市販のゴルフバッグを何も変更することなく、ゴルフバッグに着脱することが可能なゴルフ用小物入れ提供することを目的とする。
また、これに加えて、本考案はゴルフカートに搭載中は、ゴルフバッグから取り外してゴルフカートに簡単に取り付けることが可能なゴルフ用小物入れを提供することを目的とする。
【課題を解決するための手段】
【００１０】
上記課題を解決するためになされた本考案のゴルフ用小物入れは、物品の出入口および収納空間を有する収納部と、前記収納部を吊り下げるための一対の帯状体からなる吊下げ部とを備えたゴルフ用小物入れであって、前記吊下げ部の各帯状体は、一端側が前記収納部に固定され、他端側には雌体ホックが前記帯状体の表面側または裏面側の何れか片面側に向けて取り付けられるとともに雄体ホックが前記帯状体の反対面側に向けて取り付けられ、前記雌体ホックおよび前記雄体ホックがゴルフバッグのフードを着脱するためのホックと着脱可能に構成してある。
【００１１】
市販のゴルフバッグでは、複数本のクラブを収納する有底筒状のバッグ本体の上部に開口が設けられており、この開口からクラブを出し入れする。そして開口部分には、雨水等の侵入を避けるためのフードが着脱できるようにしてある。そして、ほとんどのゴルフバックでは、このフードの着脱機構として、開口の周縁に沿った数個のホック（スナップとも称する）が採用されている。
すなわち、バッグ本体の上部開口の周縁には雄体ホックが固定されており、一方、フードの下端近傍には雌体ホックが固定されており、これらによってフードとバッグ本体とが着脱可能にしてある（バッグ本体およびフードに取り付けるホックの雌雄の種類は反対でもよい）。
【００１２】
そこで、本考案のゴルフ用小物入れでは、バッグ本体の開口の周縁に設けられた雄体ホック（あるいは雌体ホック）に、吊下げ部の帯状体の他端側に取り付けた雌体ホック（あるいは雄体ホック）を固定する。これにより、バッグ本体に本考案のゴルフ用小物入れを簡単に固定することができ、ゴルフバッグに備え付けのポケットに代えて、増設した小物入れとして使用することができるようになる。
なお、増設したゴルフ用小物入れにおける帯状体の他端側には、表面に雌体ホック、裏面に雄体ホック（あるいは表面に雄体ホック、裏面に雌体ホック）が設けられているので、取り付けたゴルフ用小物入れの外側に、同時にフードも固定することができる。また、本考案のゴルフ用小物入れを複数個用意すれば、複数個の小物入れを同時に取り付けることもできる。
【考案の効果】
【００１３】
本考案によれば、市販のゴルフバッグに対し、そのまま何も変更することなく、フードの取付構造を利用して小物入れを増設することができ、さらにはフードと小物入れとを同時に使用することもできる。
【００１４】
上記考案において、前記吊下げ部の各帯状体は、前記収納部に固定された一端側に、前記他端側に取り付けた雌体ホック又は雄体ホックと着脱可能な雄体ホック又は雌体ホックが取り付けられるようにしてもよい。
これによれば、帯状体の片端側にあるホックと他端側にあるホックどうしを固定することにより、帯状体をループ状にすることができるので、ゴルフカートに備わっているフロントアームのような水平バーに、ループ状にした帯状体の部分を吊下げるようにすることで、ゴルフカートにゴルフ用小物入れを吊り下げた状態で使用することもできる。
【図面の簡単な説明】
【００１５】
【図１】本考案に係るゴルフ用小物入れを示す側面図。
【図２】図１に示すゴルフ用小物入れのＡ−Ａ断面図。
【図３】市販のゴルフバッグでフードを装着した状態を示す図。
【図４】図３のゴルフバッグでフードを取り外した状態を示す図。
【図５】図３のゴルフバッグでフードを取り外すとともに図１のゴルフ用小物入れを装着した状態を示す図。
【図６】図１に示すゴルフ用小物入れの他の使用状態を示す図。
【図７】図６での使用状態でのＡ−Ａ断面図。
【考案を実施するための形態】
【００１６】
以下、本考案の実施形態について図面を用いて説明する。なお、本考案は、以下に説明するような実施形態に限定されるものではなく、本考案の趣旨を逸脱しない範囲で種々の態様が含まれる。
【００１７】
図１は本考案の一実施例であるゴルフ用小物入れの正面図であり、図２はそのＡ−Ａ断面図である。
ゴルフ用小物入れ１０は、素材として布地や皮革が用いられ、収納部１１と吊下げ部１２とによって構成される。収納部１１は袋状に加工され、小物を出し入れする出入口１３と収納空間１４とを備えている。なお、出入口１３にはボタン、チャック等の開閉部材が設けてあってもよい。
【００１８】
吊下げ部１２は一対の帯状体１５からなり、各帯状体１５の一端側が収納部１１の上辺部分で互いに離隔するようにして固定してあり、各帯状体１５の他端側は自由端にしてある。これにより収納部１１を帯状体１５で吊り下げたときにバランスよく吊り下げることができるようにしてある。
【００１９】
以下では、便宜上、収納部１１の出入口１３を設けた側を表面側とし、反対側を裏面側として説明する。帯状体１５についても出入口１３と同じ側を表面側、反対面側を裏面側とする。
帯状体１５と収納部１１との固定位置には、裏面側に向けて雄体ホック１６が設けてある。この雄体ホック１６は後述する雌体ホック１７と着脱可能にしてある。
【００２０】
帯状体１５の自由端側には、裏面側に向けて雌体ホック１７が取り付けられ、また、表面側に向けて雄体ホック１８が取り付けられる。雌体ホック１７と雄体ホック１８とは、帯状体１５を折り返すようにして固定することにより、収納部１１から同じ高さ位置になるようにして取り付けてある。
【００２１】
雄体ホック１６、雌体ホック１７、雄体ホック１８には、市販のゴルフバックのバッグ本体の開口部分、および、フードに使用されているホックと着脱可能な互換性を有するものが使用されている。
【００２２】
次に、上述したゴルフ用小物入れ１０の使用状態について説明する。図３は市販のゴルフバッグでフードを装着した状態を示す図であり、図４はフードを取り外した状態を示す図（フードを破線で示してバッグ本体の開口部分を示す）であり、図５はフードを取り外すとともにゴルフ用小物入れ１０を装着した状態を示す図である。
【００２３】
ゴルフバッグ２０はバッグ本体２１とフード２２とを備えている。バッグ本体の前面部分には把手２３や肩掛けベルト２４が取り付けてあり、側面および前面下部にポケット２５、２６が設けてある。バッグ本体２１の上部の開口２１ａの周縁には雄体ホック２７が取り付けてあり、フード２２には内側に向けて雌体ホック２８が取り付けてあり、これらを嵌合することでバッグ本体２１とフード２２とが着脱可能にしてある。
【００２４】
図５に示すようにフード２２を外した状態で、雄体フック２７に対し、雌体フック１７を嵌合することでゴルフ用小物入れ１０がバッグ本体２１の前面部分で把手２３から離れた位置に吊り下げられ、小物入れとして使用可能になる。肩掛けベルト２４は不要であれば外すことができるので小物入れ１０の邪魔になることはない。
【００２５】
また、図５において、ゴルフ用小物入れ１０の雄体フック１８が外側に現れているので、これに対し、フード２２の雌体フック２８を嵌合することにより、同時にフード２２を装着することもできる。
【００２６】
図６は図１のゴルフ用小物入れ１０をゴルフカートに装着した状態を示す図であり、図７はその使用状態における図１のＡ−Ａ断面図である。
ゴルフカート３０には、前部座席背部に、水平方向に延びるフロントアーム３１が設けてある。フロントアーム３１は後部座席に座ったプレーヤーの手摺として使用されるが、ゴルフ用小物入れ１０を、フロントアーム３１に掛けて使用することができる。すなわち、図７に示すように、フロントアーム３１を内側に巻くようにして雄体フック１６と雌体１７フックとを嵌合させ、帯状体１５をループ状にすることで、ゴルフ用小物入れ１０をフロントアーム３１に吊り下げて使用することができる。
【００２７】
以上、本発明の一実施例について説明したが、変形実施することも可能である。例えば、ゴルフバッグのバッグ本体とフードとに取り付けてある雄体フックと雌体フックとが逆の配置であれば、これに合わせて小物入れの雄体フック、雌体フックも逆の配置にすればよく、要するに、ゴルフバッグのバッグ本体にフード取付用として設けてあるフックを利用して小物入れのフックを取り付けることができるようにすればよい。
【産業上の利用可能性】
【００２８】
本考案は、市販のゴルフバッグに装着でき、ゴルフ場でのラウンド中に使用する小物入れとして利用することができる。
【符号の説明】
【００２９】
１０  ゴルフ用小物入れ
１１  収納部
１２  吊下げ部
１３  出入口
１４  収納空間
１５  帯状体
１６  雄体フック
１７  雌体フック
１８  雄体フック
２０  ゴルフバッグ
２１  バッグ本体
２１ａ  開口
２２  フード
２３  把手
２４  肩掛けベルト
２５、２６  ポケット
２７  雄体フック
２８  雌体フック
３０  ゴルフカート
３１  フロントアーム（水平バー）
【図１】
0003218072.tif 000003
【図２】
0003218072.tif 000004
【図３】
0003218072.tif 000005
【図４】
0003218072.tif 000006
【図５】
0003218072.tif 000007
【図６】
0003218072.tif 000008
【図７】
0003218072.tif 000009